(57)【特許請求の範囲】
【請求項１】
ミラーキャビネットと洗面キャビネットとチャイルドステップとからなる洗面化粧台であって、該洗面キャビネットの下部は小物収納部とされ、該小物収納部の下方は上記チャイルドステップを出し入れ自在に収容するチャイルドステップ収容部とされるとともに、上記チャイルドステップの手前側にはステップ部、奥側には収納箱が連設され、かつ上記ステップ部にはストッパが突設されるとともに、上記収納箱の下部にはローラが設けられたチャイルドステップ付き洗面化粧台。
【請求項２】
上記ステップ部が載置部と前脚部と後脚部とからなる側断面コ字形とされ、上記前後両脚部にはストッパが突設される請求項１に記載のチャイルドステップ付き洗面化粧台。
【発明の詳細な説明】
【技術分野】
【０００１】
本発明は、洗面化粧台に関する。さらに詳しくは、幼児が一人で手洗い、洗面等ができるようにステップの付いた洗面化粧台に関する。
【背景技術】
【０００２】
洗面化粧台は、通常、ミラーキャビネットと洗面ボウル等を据え付ける洗面キャビネットとからなり、所定高さに設定された洗面キャビネットのカウンタ部の下方には種々のトイレタリー用の小物を収納する収納部とされている。また、この収納部は排水管を収容するスペースとしても利用される。しかしながら、上記のような従来の洗面化粧台は、カウンタ部の高さが大人の使用に適したものに設定されているため、幼児が一人で手洗い、洗面等をするには不便であり、そこで、下記特許文献１には踏み台付きの洗面化粧台が提案されている。
【特許文献１】実開平５−７６３８５号公報（第１頁、第１図、第２図）
【発明の開示】
【発明が解決しようとする課題】
【０００３】
上記踏み台付きの洗面化粧台は、特許文献１の図１に示されているように、物品収納部の上蓋がチャイルドステップとされているため、トイレタリー用の小物等を出し入れする度に上蓋を開閉しなければならず、使い勝手が悪いという問題がある。本発明は、このような問題を解決して、背の低い幼児でも一人で手洗い等を行うことができるとともに、使い勝手よく物品を出し入れできる収納場所が設けられたチャイルドステップ付き洗面化粧台を提供することを、その課題とする。
【課題を解決するための手段】
【０００４】
上記課題を解決するために、本発明にかかるチャイルドステップ付き洗面化粧台は請求項１に記載したように、ミラーキャビネットと洗面キャビネットとチャイルドステップとからなる洗面化粧台であって、該洗面キャビネットの下部は小物収納部とされ、該小物収納部の下方は上記チャイルドステップを出し入れ自在に収容するチャイルドステップ収容部とされるとともに、チャイルドステップの手前側にはステップ部、奥側には収納箱が連設され、かつ上記ステップ部にはストッパが突設されるとともに、上記収納箱の下部にはローラが設けられた点にある。
【０００５】
また、請求項２に記載の発明は、請求項１の発明に加えて、上記ステップ部が載置部と前脚部と後脚部とからなる側断面コ字形とされ、上記前後両脚部にはストッパが突設される点にある。上記ストッパはゴム製とすることが好ましい。同様にローラもゴム製とすることが好ましい。
【発明の効果】
【０００６】
請求項１に記載のチャイルドステップ付き洗面化粧台は上記のとおりであり、洗面キャビネットの下部に設けられた小物収納部の下方がチャイルドステップを出し入れ自在に収容するチャイルドステップ収容部とされているため、通常は、小物収納部の前面と上記チャイルドステップの前脚部とは面一となり、大人は従来の洗面化粧台と同様に使用できる。
【０００７】
また、上記チャイルドステップの手前側にはステップ部、奥側には収納箱が連設されているため、幼児が使用するときは、チャイルドステップを一段手前側に引き出せばステップ部が現われ、このステップ部に乗ることによって、背の低い幼児でも一人で手洗い等を行うことができる。さらにもう一段手前側に引き出せば収納箱が現われるため、洗剤、せっけん、シャンプー等、各種トイレタリー製品や、タオル等を使い勝手よく収納できる。
【０００８】
また、上記ステップ部にはストッパ、好ましくはゴム製ストッパが突設されているため、幼児が乗っても洗面所の床面上を滑ることなくしっかりと支え、安全に一人で手洗い等を行うことができる。また、上記収納箱の下部にはローラ、好ましくはゴム製ローラが設けられているため、チャイルドステップが床面を静かにスムースに移動してステップ部と収納箱とを引き出せるとともに、収納箱を使い勝手よく利用することができる。
【発明を実施するための最良の形態】
【０００９】
以下、本発明の実施形態について図面を参照して、詳細に説明する。図１ないし図３は本発明にかかるチャイルドステップ付き洗面化粧台の実施例を示すものである。図１は本発明にかかる洗面キャビネット１とチャイルドステップ２とを示す斜視図である。洗面キャビネット１のカウンタ１１には洗面ボウルＢが組み付けられ、洗面キャビネット１の下部は小物収納部１２とされている。小物収納部１２は各種トイレタリー用の小物を収納するとともに、排水管の収容スペースとされ、その下方にはチャイルドステップ２を収容するチャイルドステップ収容部１３が設けられている。
【００１０】
一方、チャイルドステップ２の手前側はステップ部２１とされ、奥側には収納箱２２が連設されている。図１に示されているように、上記ステップ部２１は側断面コ字形であり、載置部２１１と前脚部２１２と後脚部２１３とからなり、上記両脚部２１２、２１３の左右にはゴム製のストッパ３が突設され、また、収納箱２２の下部にはゴム製のローラ４が設けられている。チャイルドステップ２がチャイルドステップ収容部１３に収容された状態においては、小物収納部１２の前面とチャイルドステップ２の前脚部２１２とは面一となり、この状態で大人は洗面、化粧等を行う。
【００１１】
幼児が手洗い、洗面等をする場合は、チャイルドステップ２を一段手前側に引き出せば、ローラ４が転がってスムースにステップ２１が現われ、上記載置部２１１に幼児が乗って一人で手洗い、洗面等を行える。このとき、上記ストッパ３は上記両脚部２１２、２１３が床面上を滑らないように、安全にしっかりと支える。図２は、図１に示す洗面キャビネット１にミラーキャビネット５を組み付け、ステップ２１に幼児が乗った状態を示す側面図である。図２において、幼児が乗らない状態で、さらに手前側に引き出せば収納箱２２が現れ、容易にトイレタリー用品等を収納することができる。
【００１２】
図３は、本発明にかかるチャイルドステップ付き洗面化粧台を示す正面図である。図１ないし図３に示されるように、本発明のチャイルドステップ付き洗面化粧台は、従来と同様に大人が洗面、化粧等を行うことができるとともに、チャイルドステップ２を一段手前に引き出すことによって幼児が一人でも使用可能となる。さらに一段手前側に引き出すことによって、ステップ２１に連設された収納箱２２が現われ、使い勝手よくトイレタリー用品等を収納できる。
【図面の簡単な説明】
【００１３】
【図１】本発明にかかる洗面キャビネットとチャイルドステップとを示す斜視図である。
【図２】本発明のチャイルドステップに幼児が乗った状態を示す側面図である。
【図３】本発明にかかるチャイルドステップ付き洗面化粧台を示す正面図である。
【符号の説明】
【００１４】
１          洗面キャビネット
１１        カウンタ
１２        小物収納部
１３        チャイルドステップ収容部
２          チャイルドステップ
２１        ステップ部
２１１      載置部
２１２      前脚部
２１３      後脚部
２２        収納箱
３          ストッパ
４          ローラ
５          ミラーキャビネット
Ｂ          洗面ボウル
【図１】
0004581874.tif 000002
【図２】
0004581874.tif 000003
【図３】
0004581874.tif 000004